【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
パワーオーバイーサネット（登録商標）（ＰｏＥ）源を起点とする直流（ＤＣ）ＰｏＥ電力ラインから受信し且つＤＣＰｏＥ電力ラインと接続し、更に（ｉ）該ＰｏＥ電力ラインを通して受けた電力を伝達する内部電力ライン、及び（ｉｉ）該ＰｏＥ源から受信したデータを伝達するデータラインを出力するよう構成されたＰｏＥアダプタと、
前記内部電力ライン及び前記データラインに接続され、ビデオカメラにＰｏＥ出力ラインを提供するよう構成され、該ＰｏＥ出力ラインは、該データラインを通して受信したデータ及び該内部電力ラインを通して受けた電力を伝達する、ＰｏＥ出力アダプタと、
前記ＰｏＥ電力ライン内の動作不能電力状態（ＩＥＰＣ）を検出する為の電力ライン監視回路と、
前記ＰｏＥ電力ライン内のＩＥＰＣを検出すると前記ＰｏＥ出力ラインに電力を供給するよう構成された再充電可能バックアップ電源と、
前記内部電力ライン及び前記再充電可能バックアップ電源に接続され、該内部電力ラインからの電力を用いて該再充電可能バックアップ電源を充電するよう構成された充電部と、
を備える、ビデオカメラ電力バックアップ装置。
【請求項２】
ＩＥＰＣは、（１）電力停止、及び（２）電力低下からなるグループの１以上の状態を含む、請求項１に記載のビデオカメラ電力バックアップ装置。
【請求項３】
前記ビデオカメラのビデオパケット受信側をエミュレートするよう構成されたビデオパケット受信側エミュレータを更に含む、請求項１に記載のビデオカメラ電力バックアップ装置。
【請求項４】
ＩＥＰＣの検出は、ビデオパケット受信側をエミュレートするよう前記ビデオパケット受信側エミュレータを始動させる、請求項３に記載のビデオカメラ電力バックアップ装置。
【請求項５】
前記ビデオパケット受信側エミュレータはデジタルデータ記憶メディアを備える、請求項３に記載のビデオカメラ電力バックアップ装置。
【請求項６】
前記ビデオパケット受信側エミュレータは接続性不良検出器を備える、請求項３に記載のビデオカメラ電力バックアップ装置。
【請求項７】
前記バックアップ電源は再充電可能バッテリであり、前記ＰｏＥ電力ラインからの電力が前記再充電可能バッテリの充電に用いられる、請求項１に記載のビデオカメラ電力バックアップ装置。
【請求項８】
ＩＥＰＣが検出されると前記カメラに電力を供給するための代替のバックアップ電源として機能する補助バックアップ電源を更に備える、請求項１に記載のビデオカメラ電力バックアップ装置。
【請求項９】
１以上のビデオカメラと、
前記１以上のビデオカメラのそれぞれからビデオパケットを受信するビデオパケット受信側と、
前記１以上のビデオカメラと前記ビデオパケット受信側との間に位置するビデオカメラ電力バックアップ装置と、を備え、
前記ビデオカメラ電力バックアップ装置は、
（１）パワーオーバイーサネット（登録商標）（ＰｏＥ）源を起点とする直流（ＤＣ）ＰｏＥ電力ラインから受信し且つＤＣＰｏＥ電力ラインと接続し、更に（ｉ）該ＰｏＥ電力ラインを通して受けた電力を伝達する内部電力ライン、及び（ｉｉ）該ＰｏＥ源から受信したデータを伝達するデータラインを出力するよう構成されたＰｏＥアダプタと、
（２）前記内部電力ライン及び前記データラインに接続され、ビデオカメラにＰｏＥ出力ラインを提供するよう構成され、該ＰｏＥ出力ラインは、該データラインを通して受信したデータ及び該内部電力ラインを通して受けた電力を伝達する、ＰｏＥ出力アダプタと、
（３）前記ＰｏＥ電力ライン内の動作不能電力状態（ＩＥＰＣ）を検出する為の電力ライン監視回路と、
（４）前記ＰｏＥ電力ライン内のＩＥＰＣを検出すると前記ＰｏＥ出力ラインに電力を供給するよう構成された再充電可能バックアップ電源と、
（５）前記内部電力ライン及び前記再充電可能バックアップ電源に接続され、該内部電力ラインからの電力を用いて該再充電可能バックアップ電源を充電するよう構成された充電部と、
（６）関連付けられたビデオカメラと前記ビデオパケット受信側間の接続性不良が検出されると該ビデオパケット受信側をエミュレートするよう構成されたビデオパケット受信側エミュレータとを備える、
ビデオ監視システム。
【請求項１０】
ＩＥＰＣは、（１）電力停止、及び（２）電力低下からなるグループの１以上の状態を含む、請求項９に記載のビデオ監視システム。
【請求項１１】
前記ＰｏＥ上での電力損失の検出は、前記ビデオカメラと前記ビデオパケット受信側間での接続性不良を示す、請求項９に記載のビデオ監視システム。
【請求項１２】
ＩＥＰＣの検出は、前記ビデオパケット受信側をエミュレートするよう前記ビデオパケット受信側エミュレータを始動させる、請求項９に記載のビデオ監視システム。
【請求項１３】
前記ビデオパケット受信側エミュレータはデジタルデータ記憶メディアを備える、請求項９に記載のビデオ監視システム。
【請求項１４】
前記ビデオパケット受信側エミュレータは接続性不良検出器を備える、請求項９に記載のビデオ監視システム。
【請求項１５】
パワーオーバイーサネット（登録商標）（ＰｏＥ）源を起点とする直流（ＤＣ）ＰｏＥ電力ラインから受信し且つＤＣＰｏＥ電力ラインと接続し、更に（ｉ）該ＰｏＥ電力ラインを通して受けた電力を伝達する内部電力ライン、及び（ｉｉ）該ＰｏＥ源から受信したデータを伝達するデータラインを出力するよう構成されたＰｏＥアダプタと、
前記内部電力ライン及び前記データラインに接続され、端部デバイスにＰｏＥ出力ラインを提供するよう構成され、該ＰｏＥ出力ラインは、前記データラインを通して受信したデータ及び該内部電力ラインを通して受けた電力を伝達する、ＰｏＥ出力アダプタと、
前記ＰｏＥ電力ライン内の動作不能電力状態（ＩＥＰＣ）を検出する為の電力監視回路と、
前記ＰｏＥ電力ライン内のＩＥＰＣを検出すると、前記ＰｏＥ出力ラインを経由して、前記端部デバイスに電力を供給するよう構成された再充電可能バックアップ電源と、
前記内部電力ライン及び前記再充電可能バックアップ電源に接続され、該内部電力ラインからの電力を用いて該再充電可能バックアップ電源を充電するよう構成された充電部と、
を備える、端部デバイス電力バックアップ装置。
【請求項１６】
ＩＥＰＣが検出されると前記端部デバイスのパケット受信側をエミュレートするよう構成されたパケット受信側エミュレータを更に備える、請求項１５に記載の端部デバイス電力バックアップ装置。
【請求項１７】
ＩＥＰＣは、（１）電力停止、及び（２）電力低下からなるグループの１以上の状態を含む、請求項１５に記載の端部デバイス電力バックアップ装置。
【請求項１８】
前記ＰｏＥ上での電力損失の検出は、前記端部デバイスと前記端部デバイスパケット受信側間での接続性不良を示す、請求項１６に記載の端部デバイス電力バックアップ装置。
【請求項１９】
前記ＰｏＥ上での電力損失の検出は、前記パケット受信側をエミュレートするよう前記パケット受信側エミュレータを始動させる、請求項１６に記載の端部デバイス電力バックアップ装置。
【請求項２０】
前記パケット受信側エミュレータはデジタルデータ記憶メディアを備える、請求項１６に記載の端部デバイス電力バックアップ装置。
【請求項２１】
パワーオーバイーサネット（登録商標）（ＰｏＥ）源を起点とする直流（ＤＣ）ＰｏＥ電力ラインから受信し且つＤＣＰｏＥ電力ラインと接続し、更に（ｉ）該ＰｏＥ電力ラインを通して受けた電力を伝達する内部電力ライン、及び（ｉｉ）該ＰｏＥ源から受信したデータを伝達するデータラインを出力するよう構成されたＰｏＥアダプタと、
前記内部電力ライン及び前記データラインに接続され、端部デバイスにＰｏＥ出力ラインを提供するよう構成され、該ＰｏＥ出力ラインは、該データラインを通して受信したデータ及び該内部電力ラインを通して受けた電力を伝達する、ＰｏＥ出力アダプタと、
前記ＰｏＥ電力ライン内の動作不能電力状態（ＩＥＰＣ）を検出する為の電力監視回路と、
前記ＰｏＥ電力ライン内のＩＥＰＣを検出すると前記ＰｏＥ出力ラインを経由して電力を供給するよう構成された再充電可能バックアップ電源と、
前記再充電可能バックアップ電源の電圧を繰り返しブーストする為のバッテリ電圧ブースタと、
ＩＥＰＣが検出されると、前記内部電力ラインから前記再充電可能バックアップ電源のブーストされた電力へ切り替える為の電気ＯＲロジックゲートと、
を備える、端部デバイス電力バックアップ装置。